(57)【要約】【課題】液体が金属部材と直接接触して変質することを防ぐことができる上、モジュール化することができるため、注出量が多くて使用し易い押圧式ノズルヘッド装置を提供する。【解決手段】押圧式ノズルヘッド装置１０は、収納部材１、バルブ２、注出ユニット３及び押圧ユニット４を備える。収納部材１は、吸入管が底端に接続され、上から下方にかけて徐々に縮小した管状体であり、大径の上部空気室１１及び小径の下部空気室１２を有し、下部空気室１２の底端には、連通口が設けられる。バルブ２は、収納部材１の下部空気室１２内に配置され、上動して連通口を開放したり、下動して連通口を閉塞したりする往復運動を行う。注出ユニット３は、ピストン３１、ピストンロッド３２、リップパッキン３３及び密封キャップ３４を有し、上部空気室１１内に組み込まれる。ピストン３１は、中空構造の管状体であり、頂端に係合段部３１１が設けられる。【選択図】図１
0003169361.tif 000002
【実用新案登録請求の範囲】
【請求項１】
収納部材、バルブ、注出ユニット及び押圧ユニットを備える押圧式ノズルヘッド装置であって、
前記収納部材は、吸入管が底端に接続され、上から下方にかけて徐々に縮小した管状体であり、大径の上部空気室及び小径の下部空気室を有し、前記下部空気室の底端には、連通口が設けられ、
前記バルブは、前記収納部材の前記下部空気室内に配置され、上動して前記連通口を開放したり、下動して前記連通口を閉塞したりする往復運動を行い、
前記注出ユニットは、ピストン、ピストンロッド、リップパッキン及び密封キャップを有し、前記上部空気室内に組み込まれ、前記ピストンは、中空構造の管状体であり、頂端に係合段部が設けられ、前記ピストンロッドの上段部は、前記ピストンに挿通される柱状体であり、前記柱状体の外周面には、軸方向に伸びた複数の液体案内溝が設けられ、前記ピストンロッドの下段部は、環状の係止部であり、前記リップパッキンは、前記ピストンと前記ピストンロッドとの間にスライド自在に嵌着され、前記ピストンを貫挿する貫通孔を内部に有し、前記係止部と気密係合する環部を底端に有し、前記密封キャップは、中空構造の管状体であり、前記上部空気室と前記ピストンとの間に嵌着され、底端に当接部を有し、前記密封キャップと前記ピストンとの間には、バネが嵌着され、前記バネの下端は、前記密封キャップの前記当接部に当接され、前記バネの弾性により、前記リップパッキンと前記ピストンロッドとの間で、液体の流路を開閉する往復運動が行われ、
前記押圧ユニットは、容器の瓶口に嵌合固定されるキャップと、前記キャップに嵌着される押圧部材と、を有し、前記押圧部材は、液体を注出するノズルを有し、前記ピストンの前記係合段部に係合されることを特徴とする押圧式ノズルヘッド装置。
【請求項２】
前記キャップの内周面には、前記容器の前記瓶口に嵌合固定する螺溝が設けられることを特徴とする請求項１に記載の押圧式ノズルヘッド装置。
【請求項３】
前記キャップと前記容器の前記瓶口との間に、液だれを防止するために、気密性を有するシールが設けられることを特徴とする請求項１に記載の押圧式ノズルヘッド装置。
【請求項４】
前記収納部材の底端には、前記吸入管を接続する嵌合部が設けられることを特徴とする請求項１に記載の押圧式ノズルヘッド装置。
【請求項５】
前記バルブはボールであることを特徴とする請求項１に記載の押圧式ノズルヘッド装置。
【請求項６】
前記バルブは、螺旋状の弾性弁体であり、連通孔を有する第１の端部が頂端に設けられ、第２の端部が下端に設けられ、
前記第２の端部は、前記連通口を閉塞する閉塞部を上部に有し、
前記第１の端部と前記第２の端部との間には、中空構造を有する弾性部が設けられることを特徴とする請求項１に記載の押圧式ノズルヘッド装置。
【請求項７】
前記ピストンの外周面には、前記バネの頂端が当接される凸部が設けられていることを特徴とする請求項１に記載の押圧式ノズルヘッド装置。
【考案の詳細な説明】
【技術分野】
【０００１】
本考案は、ノズル装置に関し、特に、液体を注出するために用いる押圧式ノズルヘッド装置に関する。
【背景技術】
【０００２】
図６を参照する。図６に示すように、従来のノズル装置１００は、ノズル１０１ａが設けられたノズルヘッド１０１を有する。ノズルヘッド１０１は、注出管１０３を貫挿させる回転キャップ１０２が下部に嵌合されている。錐形キャップ１０４は、注出管１０３の底端に接続され、チューブ１０５が底部に取り付けられる。チューブ１０５は、錐形キャップ１０４により覆われる箇所に、互いに対向するように外周面に設けられた２つの小孔１０５ａを有する。チューブ１０５の末端部には、バネ１０６が配置される。バネ１０６の下端には、鋼球１０７が配置される。これら注出管１０３、錐形キャップ１０４、チューブ１０５、バネ１０６及び鋼球１０７は、上から下方向にかけて順次収納管１０８内に収納され、収納管１０８の底端には、吸入管１０９が嵌合されている。
【０００３】
従来のノズル装置１００を使用する際、ユーザがノズルヘッド１０１を押圧すると、ノズルヘッド１０１のノズル１０１ａから容器内の空気が瞬間的に注出され、サイフォンの原理により、空気とともに液体が吸入管１０９を通って収納管１０８に入る。この際、バネ１０６の弾性により、チューブ１０５の底部により鋼球１０７が押圧され、鋼球１０７により収納管１０８の開口１０８ａが閉塞され、チューブ１０５と錐形キャップ１０４との間に設けられた隙間に沿って、収納管１０８内の液体が、チューブ１０５の外周面に設けられた２つの小孔１０５ａを通ってチューブ１０５内に浸入してから、液体が空気とともに注出管１０３を通り、ノズルヘッド１０１のノズル１０１ａから注出される。ユーザが手を離すと、ノズルヘッド１０１が復位し、収納管１０８内に残留した液体が容器内に還流する。
【０００４】
従来のノズル装置１００の構造は、液体注出機能を有するが、バネ１０６、鋼球１０７などの金属部材が、収納管１０８内に配置されているため、金属部材に液体が長時間接触した場合、液体が化学変化を起こして変質する虞があり、最悪の場合、その液体を使用したユーザに傷害を負わす虞もある。このような問題点を解決するために、さらに別の従来のノズルヘッド装置２００が開発されている。この従来のノズルヘッド装置２００は、図７に示すように、ユーザが使い易いように、ノズルヘッド２０１と回転キャップ２０２との間にバネ２０３が配置され、収納管２０４の液体が、金属部材と長時間接触することを防ぐために、鋼球は用いられていない。この従来のノズルヘッド装置２００の構造は、金属部材に液体が長時間接触することを防ぐことができるが、ノズルヘッド２０１と回転キャップ２０２との間にバネ２０３を配置しなければならないため、組み立てが複雑で、モジュール化することが困難である上、液体の注出量が少なく、必要な量を注出させるために、繰り返して押圧する必要がある。そのため、在庫を減らすことができない上、応用範囲が小さく、改善が求められていた。そのため、応用範囲が広く、液体とバネとが接触しない押圧式ノズルヘッド装置が求められている。
【考案の概要】
【考案が解決しようとする課題】
【０００５】
本考案の主な目的は、押圧式ノズルヘッド装置内の密封キャップとピストンとの間にバネを配置することにより、金属部材に液体が直接接触して変質することを防ぐことができる上、モジュール化することができるため、応用範囲が広く、在庫を減らすことができる上、注出量が多いためユーザにとって使用し易い押圧式ノズルヘッド装置を提供することにある。
【課題を解決するための手段】
【０００６】
上記課題を解決するために、本考案の第１の形態によれば、収納部材、バルブ、注出ユニット及び押圧ユニットを備える押圧式ノズルヘッド装置であって、前記収納部材は、吸入管が底端に接続され、上から下方にかけて徐々に縮小した管状体であり、大径の上部空気室及び小径の下部空気室を有し、前記下部空気室の底端には、連通口が設けられ、前記バルブは、前記収納部材の前記下部空気室内に配置され、上動して前記連通口を開放したり、下動して前記連通口を閉塞したりする往復運動を行い、前記注出ユニットは、ピストン、ピストンロッド、リップパッキン及び密封キャップを有し、前記上部空気室内に組み込まれ、前記ピストンは、中空構造の管状体であり、頂端に係合段部が設けられ、前記ピストンロッドの上段部は、前記ピストンに挿通される柱状体であり、前記柱状体の外周面には、軸方向に伸びた複数の液体案内溝が設けられ、前記ピストンロッドの下段部は、環状の係止部であり、前記リップパッキンは、前記ピストンと前記ピストンロッドとの間にスライド自在に嵌着され、前記ピストンを貫挿する貫通孔を内部に有し、前記係止部と気密係合する環部を底端に有し、前記密封キャップは、中空構造の管状体であり、前記上部空気室と前記ピストンとの間に嵌着され、底端に当接部を有し、前記密封キャップと前記ピストンとの間には、バネが嵌着され、前記バネの下端は、前記密封キャップの前記当接部に当接され、前記バネの弾性により、前記リップパッキンと前記ピストンロッドとの間で、液体の流路を開閉する往復運動が行われ、前記押圧ユニットは、容器の瓶口に嵌合固定されるキャップと、前記キャップに嵌着される押圧部材と、を有し、前記押圧部材は、液体を注出するノズルを有し、前記ピストンの前記係合段部に係合されることを特徴とする押圧式ノズルヘッド装置が提供される。
【０００７】
前記キャップの内周面には、前記容器の前記瓶口に嵌合固定する螺溝が設けられることが好ましい。
【０００８】
前記キャップと前記容器の前記瓶口との間に、液だれを防止するために、気密性を有するシールが設けられることが好ましい。
【０００９】
前記収納部材の底端には、前記吸入管を接続する嵌合部が設けられることが好ましい。
【００１０】
前記バルブはボールであることが好ましい。
【００１１】
前記バルブは、螺旋状の弾性弁体であり、連通孔を有する第１の端部が頂端に設けられ、第２の端部が下端に設けられ、前記第２の端部は、前記連通口を閉塞する閉塞部を上部に有し、前記第１の端部と前記第２の端部との間には、中空構造を有する弾性部が設けられることが好ましい。
【００１２】
前記ピストンの外周面には、前記バネの頂端が当接される凸部が設けられていることが好ましい。
【考案の効果】
【００１３】
本考案の押圧式ノズルヘッド装置は、押圧式ノズルヘッド装置内の密封キャップとピストンとの間にバネを配置することにより、液体が金属部材と直接接触して変質することを防ぐことができる上、モジュール化することができるため、商品への応用範囲を広げ、在庫を減らすことができる上、注出量が多いためユーザにとって使用し易い。
【図面の簡単な説明】
【００１４】
【図１】本考案の一実施形態による押圧式ノズルヘッド装置を示す分解斜視図である。
【図２】本考案の一実施形態による押圧式ノズルヘッド装置を示す断面図である。
【図３】本考案の他の実施形態による押圧式ノズルヘッド装置を示す断面図である。
【図４】本考案の一実施形態による押圧式ノズルヘッド装置を使用するときの状態を示す断面図である。
【図５】本考案の一実施形態による押圧式ノズルヘッド装置を使用するときの状態を示す断面図である。
【図６】従来の押圧式ノズルヘッド装置を示す分解斜視図である。
【図７】従来のもう一つの押圧式ノズルヘッド装置を示す断面図である。
【考案を実施するための形態】
【００１５】
以下、本考案の実施形態について図に基づいて説明する。なお、これによって本考案が限定されるものではない。
【００１６】
図１及び図２を参照する。図１及び図２に示すように、本考案の一実施形態による押圧式ノズルヘッド装置１０は、少なくとも収納部材１、バルブ２、注出ユニット３及び押圧ユニット４から構成される。収納部材１の底端には、吸入管５を接続するために用いる嵌合部１４が設けられている。また、収納部材１は、上から下方にかけて徐々に縮小した管状体であり、大径の上部空気室１１及び小径の下部空気室１２を有する。下部空気室１２の底端には、連通口１３が設けられている。
【００１７】
バルブ２は、収納部材１の下部空気室１２内に配置され、上動して連通口１３を開放したり、下動して連通口１３を閉塞したりする往復運動を行うことができる。図１に示すように、本実施形態のバルブ２は、螺旋状の弾性弁体であり、連通孔を有する第１の端部２１が頂端に設けられ、第２の端部２２が下端に設けられている。第２の端部２２は、連通口１３を閉塞するために用いる閉塞部２２１を上部に有し、第１の端部２１と第２の端部２２との間には、中空構造の弾性部２３が設けられている。バルブ２は、この態様だけに限定されるわけではなく、図３の他の実施形態に示すように、必要に応じてボールと代替してもよい。
【００１８】
注出ユニット３は、ピストン３１、ピストンロッド３２、リップパッキン３３及び密封キャップ３４を有し、上部空気室１１内に組み込まれる。ピストン３１は、中空の管状体であり、凸部３１２が外周面に設けられ、係合段部３１１を頂端に有する。ピストンロッド３２の上段部は、ピストン３１に挿通する柱状体３２１である。この柱状体３２１は、軸方向に延伸するように設けられた複数の液体案内溝３２２を外周面に有する。ピストンロッド３２の下段部は、環状の係止部３２３である。リップパッキン３３は、ピストン３１とピストンロッド３２との間にスライド可能に嵌着され、ピストン３１を貫挿させる貫通孔３３１を有する。貫通孔３３１の底端には、係止部３２３と気密係合される環部３３２が配置されている。密封キャップ３４は、中空構造の管状体であり、上部空気室１１とピストン３１との間に嵌着され、当接部３４１を下端に有する。密封キャップ３４とピストン３１との間には、バネ３５が嵌着されている。このバネ３５は、ピストン３１の凸部３１２に頂端が当接し、密封キャップ３４の当接部３４１に下端が当接し、バネ３５が有する弾性により、リップパッキン３３とピストンロッド３２との間で往復運動し、液体の流路を開閉する。
【００１９】
押圧ユニット４は、容器の瓶口に嵌合固定されるキャップ４１と、キャップ４１に嵌着される押圧部材４２と、を有する。キャップ４１の内周面には、容器２０の瓶口に嵌合固定するために用いる螺溝４１２が設けられている（図４参照）。押圧部材４２は、液体を注出するノズル４２１を有し、ピストン３１の係合段部３１１に係合される。図４に示すように、本考案の一実施形態による押圧式ノズルヘッド装置のキャップ４１と容器２０の瓶口との間には、液だれを防ぐために、気密性を有するシール４１１が設けられている。
【００２０】
このように、本考案の一実施形態による押圧式ノズルヘッド装置のバネ３５を、押圧式ノズルヘッド装置１０内部で、ピストン３１と密封キャップ３４との間に配置することにより、液体がバネに直接接触して変質することを防ぐことができるだけではなく、収納部材１、バルブ２及び注出ユニット３をモジュール化して組み立てることもできるため、応用範囲が広く、在庫を減らすことができる上、注出量が多いためユーザにとって使い易い。
【００２１】
図４を参照する。図４に示すように、本考案の一実施形態による押圧式ノズルヘッド装置は、押圧部材４２が下方向の圧力を受けるのに連動して注出ユニット３のピストン３１及びピストンロッド３２が徐々に下動すると、収納部材１の上部空気室１１の空間が徐々に圧縮される。液体の圧力が大きくなるに従い、バルブ２の閉塞部２２１が下動して収納部材１の連通口１３が閉塞されると、収納部材１が密封状態となる。ピストンロッド３２の係止部３２３と、リップパッキン３３の環部３３２とが離れると、ピストンロッド３２の液体案内溝３２２が液体の流出口となり、瞬間的に高い圧力を受けた液体が、ピストン３１内を通った後、押圧部材４２のノズル４２１から外部に注出される。
【００２２】
図５を参照する。図５に示すように、押圧された押圧部材４２が復位するとき、バネ３５の弾性により、ピストン３１及びピストンロッド３２が直接上方に押し戻され、ピストンロッド３２の係止部３２３と、リップパッキン３３の環部３３２とが気密的に嵌合した状態に戻ると、上部空気室１１の気圧が外部気圧よりも小さくなるため、容器２０内部の液体により、収納部材１の連通口１３の上方にあるバルブ２が自然に押し開かれ、バルブ２を通って上部空気室１１内部に流入し、次の押圧動作が行われるまで貯留される。
【００２３】
上述したことから分かるように、本考案の押圧式ノズルヘッド装置は、以下（１）及び（２）の長所を有する。
（１）金属部材を外部に配置することにより、金属部材に接触した液体が変質することを防ぐことができる。
（２）収納部材、バルブ及び注出ユニットは、モジュール化して組み立てることができるため、応用範囲が広く、在庫を減らすことができる上、注出量が多い。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１        収納部材
２        バルブ
３        注出ユニット
４        押圧ユニット
５        吸入管
１０      押圧式ノズルヘッド装置
１１      上部空気室
１２      下部空気室
１３      連通口
１４      嵌合部
２０      容器
２１      第１の端部
２２      第２の端部
２３      弾性部
３１      ピストン
３２      ピストンロッド
３３      リップパッキン
３４      密封キャップ
３５      バネ
４１      キャップ
４２      押圧部材
１００    従来のノズル装置
１０１    ノズルヘッド
１０１a  ノズル
１０２    回転キャップ
１０３    注出管
１０４    錐形キャップ
１０５    チューブ
１０５ａ  小孔
１０６    バネ
１０７    鋼球
１０８    収納管
１０８ａ  開口
１０９    吸入管
２００    従来のノズルヘッド装置
２０１    ノズルヘッド
２０２    回転キャップ
２０３    バネ
２０４    収納管
２２１    閉塞部
３１１    係合段部
３１２    凸部
３２１    柱状体
３２２    液体案内溝
３２３    係止部
３３１    貫通孔
３３２    環部
３４１    当接部
４１１    シール
４１２    螺溝
４２１    ノズル
【図１】
0003169361.tif 000003
【図２】
0003169361.tif 000004
【図３】
0003169361.tif 000005
【図４】
0003169361.tif 000006
【図５】
0003169361.tif 000007
【図６】
0003169361.tif 000008
【図７】
0003169361.tif 000009